【手続補正書】
【提出日】平成25年8月1日(2013.8.1)
【手続補正１】
【補正対象書類名】特許請求の範囲
【補正対象項目名】全文
【補正方法】変更
【補正の内容】
【特許請求の範囲】
【請求項１】
原稿を搬送しながら当該原稿の画像を読み取る読取手段と、
前記読取手段で白色画像を読み取った画像データに基づいて、前記原稿の読み取り位置に付着した異物に基づく異常画素を検出し当該異常画素の位置を示すデータを出力する検出手段と、
前記検出手段から出力される前記データに基づいて、前記読取手段で原稿を読み取って得られた画像データを補正する補正手段と、
前記検出手段による前記異常画素の検出を第１の原稿の読み取り前に行い、当該異常画素の位置を示すデータに基づく前記補正手段による補正処理を、前記第１の原稿に続く第２の原稿を読み取って得られた画像データに対して行うように制御する制御手段と、
を有することを特徴とする画像読取装置。
【請求項２】
前記補正手段は、前記読取手段で原稿を読み取って得られた画像データの内、前記異常画素の位置を示すデータに対応する画素データを、当該画素データに隣接する複数の画素データの線形補間により補正することを特徴とする請求項１に記載の画像読取装置。
【請求項３】
原稿を搬送しながら当該原稿の画像を読み取る読取手段と、
前記読取手段で白色画像を読み取った画像データに基づいて、前記原稿の読み取り位置に付着した異物に基づく異常画素を検出し当該異常画素の位置を示すデータを出力する検出手段と、
前記検出手段から出力される前記データに基づいて、前記読取手段で原稿を読み取って得られた画像データを補正する補正手段と、
前記検出手段による前記異常画素の検出及び前記データの出力に要する時間を計時する計時手段と、
前記計時手段により計時された時間が所定時間未満の場合、前記検出手段による前記異常画素の検出を第１の原稿の読み取り前に行い、当該異常画素の位置を示すデータに基づく前記補正手段による補正処理を、前記第１の原稿を読み取って得られた画像データに対して行うように制御する第１の制御手段と、
前記計時手段により計時された時間が前記所定時間以上の場合、前記検出手段による前記異常画素の検出を第１の原稿の読み取り前に行い、当該異常画素の位置を示すデータに基づく前記補正手段による補正処理を、前記第１の原稿に続く第２の原稿を読み取って得られた画像データに対して行うように制御する第２の制御手段と、
を有することを特徴とする画像読取装置。
【請求項４】
前記補正手段は、前記読取手段で原稿を読み取って得られた画像データの内、前記異常画素の位置を示すデータに対応する画素データを、当該画素データに隣接する複数の画素データの線形補間により補正することを特徴とする請求項３に記載の画像読取装置。
【請求項５】
前記所定時間は、連続して搬送される原稿間の空き時間に相当する時間であることを特徴とする請求項３に記載の画像読取装置。
【請求項６】
原稿を搬送しながら当該原稿の画像を読み取る読取手段を有する画像読取装置の制御方法であって、
前記画像読取装置の検出手段が、前記読取手段で白色画像を読み取った画像データに基づいて、前記原稿の読み取り位置に付着した異物に基づく異常画素を検出し当該異常画素の位置を示すデータを出力する検出工程と、
前記画像読取装置の補正手段が、前記検出工程で出力される前記データに基づいて、前記読取手段で原稿を読み取って得られた画像データを補正する補正工程と、
前記画像読取装置の制御手段が、前記検出工程による前記異常画素の検出を第１の原稿の読み取り前に行い、当該異常画素の位置を示すデータに基づく前記補正工程による補正処理を、前記第１の原稿に続く第２の原稿を読み取って得られた画像データに対して行うように制御する制御工程と、
を有することを特徴とする画像読取装置の制御方法。
【請求項７】
請求項６に記載の画像読取装置の制御方法を、コンピュータに実行させるためのプログラム。
【手続補正２】
【補正対象書類名】明細書
【補正対象項目名】０００９
【補正方法】変更
【補正の内容】
【０００９】
上記目的を達成するために本発明の一態様に係る画像形成装置は以下のような構成を備える。即ち、
原稿を搬送しながら当該原稿の画像を読み取る読取手段と、
前記読取手段で白色画像を読み取った画像データに基づいて、前記原稿の読み取り位置に付着した異物に基づく異常画素を検出し当該異常画素の位置を示すデータを出力する検出手段と、
前記検出手段から出力される前記データに基づいて、前記読取手段で原稿を読み取って得られた画像データを補正する補正手段と、
前記検出手段による前記異常画素の検出を第１の原稿の読み取り前に行い、当該異常画素の位置を示すデータに基づく前記補正手段による補正処理を、前記第１の原稿に続く第２の原稿を読み取って得られた画像データに対して行うように制御する制御手段と、を有することを特徴とする。
【手続補正３】
【補正対象書類名】明細書
【補正対象項目名】００３０
【補正方法】変更
【補正の内容】
【００３０】
次にローラ流し読み方式のＡＤＦ５５０について説明する。
【手続補正４】
【補正対象書類名】明細書
【補正対象項目名】００３１
【補正方法】変更
【補正の内容】
【００３１】
５５１はピックアップローラ、５５２は分離部、５５３は第１レジストローラ、５５４は第２レジストローラ、５５５は第１搬送ローラ、５５６は第２搬送ローラ、５５７は第３搬送ローラ、５５８は排紙ローラ、５５９は白色読み取りローラである。分離センサ５６０は、原稿が一枚ずつ搬送されたかどうかを検出する。レジストセンサ５６１は、第１レジストローラ５５３の位置に原稿が到達したことを検知する。リードセンサ５６２は、第１搬送ローラ５５５の直前に原稿が到達したことを検知し、原稿の読取開始の起動タイミングを提供する。排紙センサ５６３は、排紙ローラ５５８の位置に原稿が到達したことを検知する。原稿検知センサ５６４は、原稿トレイ５７０上に原稿があるかどうかを検知する。原稿長検知センサ５６５は、原稿トレイ５７０上の原稿５７２の長さが所定値以上かどうかを検知している。排紙トレイ５７１は、読み取った原稿を積載して収容する。
【手続補正５】
【補正対象書類名】明細書
【補正対象項目名】００３３
【補正方法】変更
【補正の内容】
【００３３】
ここで、ピックアップローラ５５１、分離部５５２の分離ローラ、第１レジストローラ５５３は、図示しない分離モータで回転駆動される。また第２レジストローラ５５４、第１搬送ローラ５５５、第２搬送ローラ５５６は図示しない給紙モータで回転駆動され、第３搬送ローラ５５７及び排紙ローラ５５８は、図示しない排紙モータで回転駆動される。
図６は、本実施形態に係るＡＤＦ５５０を用いた流し読みの動作を説明するフローチャートである。図６のフローチャートに示す各ステップは、ＣＰＵ２１１がメモリ２３１に記憶されたプログラムを実行することによって行われる。
【手続補正６】
【補正対象書類名】明細書
【補正対象項目名】００５０
【補正方法】変更
【補正の内容】
【００５０】
まずＳ８０１で、ＡＤＦ５５０の白色読み取りローラ５５９を読み取り、図６のＳ６０１と同様の手順を実行する。次にＳ８０２で、白色画像からゴミ判定を行う。これも図６のＳ６０２と同様の手順になる。次にＳ８０３に進み、リアルタイムクロックモジュール２３６により、予め定められた所定時間が経過したか否かを判断する。この所定時間は、原稿読み込み速度が低下しない最大待ち時間、即ち、連続して搬送される原稿間の最大空き時間に相当する。Ｓ８０３で所定時間が経過するとＳ８０６に進み、所定時間が経過しないときはＳ８０４に進んで、ゴミ判定が終了したか否かを判断する。ゴミ判定が終了していればＳ８０５（第１の制御）へ進むが、終了していなければＳ８０３に戻る。Ｓ８０５では、ゴミ判定処理に要する時間が所定時間未満であるため、Ｓ８０２のゴミ判定結果を特異点データとして特異点データ補正部３０４に設定する。一方、Ｓ８０６（第２の制御）では、ゴミ判定処理に要する時間が所定時間以上で、所定時間内にゴミ判定処理が終了しなかったため、前回のゴミ判定結果を特異点データ補正部３０４に設定する。なお、前回のゴミ判定結果とは、前のジョブで実施したゴミ判定結果や、前のジョブが無い場合は電源投入時にゴミ判定を実施した結果となる。